(57)【特許請求の範囲】
【請求項１】
裏面に形成された粘着層により、荷物に対して直接貼付するシート基材と、前記シート基材の表面に設けられ、接着層を介して前記シート基材から剥離可能な状態で重ね合わされた受領票と、を有する配送伝票であって、
前記接着層が、パターニングされ伝達情報を形成していることを特徴とする配送伝票。
【請求項２】
前記パターニングされた接着層が、透明な材料からなることを特徴とする請求項１記載の配送伝票。
【請求項３】
前記パターニングされた接着層が、着色され半透明もしくは不透明な材料からなる請求項１記載の配送伝票。
【請求項４】
前記受領票部の角部の一部に接着剤が形成されていない接着層を有する請求項１乃至請求項３いずれかに記載の配送伝票。
【発明の詳細な説明】
【技術分野】
【０００１】
本発明は、宅配荷物や配送商品を運送業者が配送する際に、それらの配送物に貼付して使用する配送伝票に関する。
【背景技術】
【０００２】
従来、宅配荷物や配送商品を配送業者が配送する際に、それらの配送物に配送伝票を貼付して配送業務を行っている。この種の配送伝票は、感圧紙を多層に積層し、宛名等の情報を記入していた。このような多層構成の配送伝票では、下層まで鮮明な情報を記載するために強い圧力を必要とし、ボールペンでの記入、インパクトプリンターの使用が必須であった。（例えば特許文献１）
一方、短期間に多量の商品を扱う量販店、通信販売等の種々の業界から発送伝票発行業務の高速化が望まれ、ノンインパクトプリンターによる印字で利用可能な１枚のシートで管理可能かつ用紙の使用を減らした配送伝票が開示されている。（例えば特許文献２、３）このような１枚のシートで管理可能な従来の配送伝票の概略を図１に示す。配送伝票１の最上層基材５は配達票および配達票２および受領票３としての機能を持つ。配達票２は、配送後も、貼付された状態で保持され、発送者、配送先が確認できる。受領票３は、受取人が受領したことを確認するサイン、捺印を行う受領欄が設けられ、配送物受け渡し時に剥がされて、配送業者が管理する。
【０００３】
さらに、受領票剥離後の配送伝票において、受領票下の部分が空白になるためこの空白部を有効利用するために、ピッキングリスト等の伝達情報を表示する配送伝票が公開されている。（例えば特許文献４，５）
図２は従来の配送伝票の使用例である。シート基材１０上に伝達情報印刷層９が、印刷もしくはプリンターにより形成され、受領票３剥離後に伝達情報の読み取りが可能となっている。
【特許文献１】特開平５−２７８３７１号公報
【特許文献２】特開平７−１３４５５４号公報
【特許文献３】特許第４４１３４６８号公報
【特許文献４】特開２０００−１５３８４６号公報
【特許文献５】特開２００２−３１１８３４号公報
【発明の概要】
【発明が解決しようとする課題】
【０００４】
配送伝票は、より利便性を向上させるための機能が求められるが、その一方で価格の低さも要求されている。そこで、本発明は、少なくとも配達票と受領票を１枚のシートに備えた配送伝票において、受領票下部の基材表面に、伝達情報の表示が可能で、かつ安価な配送伝票を提供することを目的とする。
【課題を解決するための手段】
【０００５】
本発明の第１の態様は、裏面に形成された粘着層により、荷物に対して直接貼付するシート基材と、前記シート基材の上側に設けられ、接着層を介して前記シート基材から剥離可能な状態で重ね合わされた受領票と、を有する配送伝票であって、
前記接着層が、パターニングにより伝達情報を有している。
【０００６】
上記パターニングされた接着層は、透明な材料からなる接着層でもよく、この場合は、文字もしくは意匠情報が伝達情報として形成されるため、伝達情報が別途印刷法により形成されていた、従来の配送伝票の作製工程を１工程減らすことが出来るため、より安価な配送伝票の提供が可能となる。
【０００７】
なお、接着剤が透明であっても、接着剤の有無により表示された情報は、接着時表面および内部での光の反射もしくは散乱により読み取りは可能である。
【０００８】
本上記パターニングされた接着層は、着色され半透明な材料からなる接着層でもよい。
【０００９】
この場合は、透明な場合と比較して、伝達情報を形成している接着層が着色されているため、伝達情報の読み取りもしくは認識、もしくは読み取りおよび認識が容易となる。
【００１０】
さらに、角部の一部（最終的に剥離を行う受領部の４隅のうち、いずれか１箇所乃至４箇所）に、接着層を形成しなくてもよい。
【００１１】
４隅のうち、いずれか１箇所乃至４箇所に、接着層を形成しないことにより、受領部の剥離が容易となる。また、接着層の形成とともに剥離部の形成が可能となるため、新たな工程を必要とすることなく、剥離部の形成が可能である。
【発明の効果】
【００１２】
本発明における第１の態様によれば、１枚のシートで管理可能で、受領票下部に印刷された受領票剥離後に表示される伝達情報をもつ配送伝票において、伝達情報の印刷工程を行うことなく、透明接着層の印刷工程だけで伝達情報を表示することにより、配送伝票作製工程数を減らすことにより、従来の配送伝票より簡易に作製可能で、安価な配送伝票の提供出来るという効果がある。
【００１３】
さらに、本発明の第２の態様によれば、伝達情報形成手段として使用される接着層に着色を施すことにより、従来の情報の印刷により形成されていた伝達情報と同等の認識レベルの伝達情報を、接着層の印刷工程だけで伝達情報を表示することにより、配送伝票作製工程数を減らすことにより、従来の配送伝票より簡易に作製可能で、安価な配送伝票の提供出来るという効果がある。
【００１４】
さらに、本発明の第３の形態によれば、第１もしくは第２の形態を形成する接着層印刷工程において、受領部の４隅のうち、いずれか１箇所乃至４箇所に、接着層を形成しないことにより、切欠きを形成することなく、受領部の剥離を容易にするという効果がある。
【図面の簡単な説明】
【００１５】
【図１】（ａ）は従来の配送伝票の表面側平面図、（ｂ）は（ａ）のA-A'線断面図である。
【図２】従来の配送伝票の使用例である。
【図３】本発明の第１及び第２の実施形態であって、（ａ）は配送伝票の表面側平面図、（ｂ）は（ａ）のＡ−Ａ’線断面図である。
【図４】本発明の配送伝票の使用例である。
【図５】本発明の第３の実施形態の配送伝票の例である。
【図６】（ａ）〜（ｄ）  本発明の配送伝票の接着層による情報表示の例である。
【発明を実施するための形態】
【００１６】
以下、本発明の実施形態に係る配送伝票について、図面を参照して説明する。
【００１７】
（第１実施形態）
図３は本発明による接着層により情報を表示した配送伝票を示すもので、（ａ）は表面側平面図、（ｂ）は（ａ）中のＡ−Ａ’断面図である。
【００１８】
本配送伝票は、少なくとも最表面に配送情報を記載する配達票２及び配送情報を記入する受領票３からなる最上層基材５を有している。
【００１９】
前記記載の配送票２と受領票３から成る最上層基材５は、一体の紙片で形成された後、受領部のみ剥離可能なように、両伝票間にスリット４が形成されている。
【００２０】
受領票下には、受領部の剥離が行えるように剥離層６が形成されている。
【００２１】
配送票２及び剥離層６を備えた受領票３の下には、受領票３の下部に伝達情報を透明接着剤により形成した接着層７が形成されている。配送票下部及び受領票下部の接着層を一体形成するとともに、受領票下部に接着剤をパターニングすることにより伝達情報をもつ接着層７形成することにより、図１及び図２に示す従来の配送伝票にあった、印刷層９を形成することなしに伝達情報を記載することが可能となっている。
【００２２】
図４は、本発明の使用例であり、受領票３を剥離することにより、パターニングされた接着層７により形成された伝達情報が視認可能となっている。
【００２３】
接着剤によりパターニングされる伝達情報は、図６（ａ）に示すように伝達情報が白抜き状態で表示されている、図６（ｂ）に示すように受領票３を固定するための接着剤が受領部周辺に形成されるとともに、内部にストライプ状に形成された接着剤中に伝達情報が白抜き状態で表示されている、図６（ｃ）に示すように受領票３を固定するための接着剤が受領部周辺に形成されるとともに、内部に接着剤により伝達情報が形成されている形態がある。
【００２４】
上記記載のパターニングされた伝達情報とは、文字情報もしくは意匠情報、または文字情報及び意匠情報である。
【００２５】
接着剤が透明であっても、接着剤の表面散乱、反射率等の物性の違いにより、透明接着剤によるパターニングされた情報を認識することが可能である。
【００２６】
さらに、接着層７下部には、裏面に粘着層１０が形成されたシート基材１０が設けられ、粘着層１１の下面側に剥離シート１２が剥離可能な状態で貼付されている。
【００２７】
また、シート基材１０とパターニングされた接着層７との間に目止め層８を形成することが好ましい。
【００２８】
本配送伝票１３は、剥離シート１２を剥離後に、シート基材裏面に形成された粘着層１１により配送物に貼付して使用する。
【００２９】
本発明の配送伝票において、最表面に位置する配送情報を記載する配達票２及び配送情報を記入する受領票からなる最上層基材５は、充分な強度とプリンターによる印字適正及び搬送適正を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであっても良い。
【００３０】
配達票２及び受領票３からなる最上層基材５に用いる基材厚さは、通常は２０〜２００μm程度が好ましい。
【００３１】
更に、控票などを配送伝票１３の上に重ね合わせた場合に複写特性を持たせるため、ロイコ系染料などからなる感熱発色層を設けても良い。
【００３２】
受領票３を剥離可能にするための剥離層６は、受領票３がシート基材１０から容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂当の熱可塑性樹脂及びこれらの混合物からなるフィルムでも良い。
【００３３】
また、ポリウレタン等の熱硬化性樹脂等から形成されたフィルムを用いても良い。
【００３４】
さらに、所望に応じて、酸化防止剤、熱安定剤、紫外線吸収剤、スリップ剤、帯電防止剤、防曇剤、着色剤、フィラー等が添加されていても良い。
【００３５】
剥離層６を形成するための樹脂の塗布量・塗布厚は特に限定されないが、好ましくは塗布厚は０．１〜１０μmである。
【００３６】
情報を形成する接着層７は、接着剤として、例えばウレタン系、アクリル系などの熱可塑性樹脂を使用することができ、、例えばグラビア法、インクジェット法、スクリーン印刷等の印刷法により、厚さ０．１〜５０μm程度に伝達情報がパターニングされた状態に印刷し、貼り合わせ後に必要に応じて乾燥させる。
【００３７】
この時のパターニングされた情報の最小サイズは、例えば文字であれば１ｍｍ×１ｍｍ程度である。
【００３８】
シート基材と、配達票２及び受領票３からなる最上層層基材５とは、接着層７が乾燥していない状態で貼りあわせるウェットまたはセミウェットラミネート方式、熱圧着方式や感圧方式によって貼りあわせる。
【００３９】
粘着層１１は、荷物に配送伝票１３を貼付可能とする層であり、アクリル系粘着剤が最も好ましいが、天然ゴム系粘着剤、合成ゴム系粘着剤、シリコーンゴム系粘着剤等でもよい。
粘着層１１の塗布量・塗布厚は特に限定されないが、好ましくは、塗布量は０．１〜５０ｇ／ｍ2 であり、塗布厚は０．１〜５０μｍである。
【００４０】
荷物等の被着体に対する粘着層１１の接着力は、剥離層６と受領票３との接着力よりも大きい必要があり、荷物等の被着体に応じて、適宜、調整が必要である。 また、剥離シート１２と粘着層１１との接着力は、製品の使用時に、受領票３とシート基材１０を剥離させないために、剥離シート１２と粘着層１１との接着力よりも小さい必要がある。
【００４１】
剥離シート１２は、粘着層１１を保護する紙である。剥離シート１２の粘着層１３側の面には、シリコーン系離型剤などにより剥離処理がなされている。剥離シート１２の厚さは、特に限定はされないが、通常２０〜２００μｍ、好ましくは４０〜１００μｍ程度である。
【００４２】
（第２実施形態）
本発明の第２の形態は、上記第１の実施形態の透明接着剤に、半透明もしくは不透明な着色を施すことにより、より認識性を向上させたものである。
【００４３】
第２の実施形態では、例えばアクリル系樹脂から成る接着剤に、染料もしくは顔料を添加し着色を行い、接着層６を形成する。
【００４４】
図３（ｂ）に示す目止め層８は、例えば熱可塑性樹脂により形成される。
【００４５】
図３（ｂ）に示すシート基材１０は、上質紙が好適に用いられる。
【００４６】
シート基材１０に用いる基材厚さは、通常は２０〜２００μm程度が好ましい。
【００４７】
粘着層１１は、配送物に配送伝票１３を貼付可能とする層であり、アクリル系粘着剤が最も好ましいが、天然ゴム系粘着剤、合成ゴム系粘着剤、シリコーンゴム系粘着剤等でも良い。
【００４８】
（第３実施形態）
本発明の第３の形態は、上記第１もしくは第２の実施形態において、接着剤による接着層パターニングにおいて、伝達情報を表記することに加え受領票３角部下の接着剤を形成しないパターニングを施すことにより、受領票３剥離時のきっかけとして非接着部1４を形成することである。
【００４９】
上記非接着部は、受領票３角部に形成されていれば良く、受領票３の４箇所の角部のうち１箇所ないし４箇所に任意に設けることが可能である。
【実施例】
【００５０】
（実施例１）
基材シート１０に上質紙を用い、裏面にアクリル系粘着剤からなる粘着層１１をグラビア印刷法により形成し、さらに剥離シート１２をセミウェットラミネート方式により貼付した。
裏面に粘着層１１、剥離シート１２が形成された基材シート状に熱可塑性樹脂からなる目止め層８をグラビア印刷法により形成した。
さらに、前記基材上に、受領票３下部にパターニングされた伝達情報を、また配達票２下部全面に、グラビア印刷法によりアクリル系熱可塑性樹脂を印刷し、接着層７を形成した。
次に、接着層７上の受領票３貼付部に、ポリエチレン共重合体をグラビア印刷法により剥離層６を形成した後、配達票２及び受領票３を形成する最上層基材５を熱圧着により貼付した。
最後に、ハーフカット工程で、配達票２と受領票３との間にスリットを形成した。
（実施例２）
基材シート１０に上質紙を用い、裏面にアクリル系粘着剤からなる粘着層１１をグラビア印刷法により形成し、さらに剥離シート１２をセミウェットラミネート方式により貼付した。
裏面に粘着層１１、剥離シート１２が形成された基材シート状に熱可塑性樹脂からなる目止め層８をグラビア印刷法により形成した。
さらに、前記基材上に、受領票３下部にパターニングされた伝達情報を、また配達票２下部全面に、グラビア印刷法により、染料により着色したアクリル系熱可塑性樹脂を印刷し、接着層７を形成した。
次に、接着層７上の受領票３貼付部に、ポリエチレン共重合体をグラビア印刷法により剥離層６を形成した後、配達票２及び受領票３を形成する最上層基材５を熱圧着により貼付した。
最後に、ハーフカット工程で、配達票２と受領票３との間にスリットを形成した。
【産業上の利用可能性】
【００５１】
本発明は、配送伝票などの貼り合わせ製品のようなものに利用可能である。
【符号の説明】
【００５２】
１  従来の配送伝票
２  配達票
３  受領票
４  スリット
５  最上層基材
６  剥離層
７  接着層
８  目止め層
９  伝達情報印刷層
１０  シート基材
１１  粘着層
１２  剥離シート
１３  本発明の実施形態１及び２の配送伝票
１４  接着層非形成部（非接着部）
【図１】
0005482511.tif 000002
【図２】
0005482511.tif 000003
【図３】
0005482511.tif 000004
【図４】
0005482511.tif 000005
【図５】
0005482511.tif 000006
【図６】
0005482511.tif 000007